(57)【要約】【課題】  サーバーレス原本性保証システムにおいて、従来の紙媒体に記憶媒体を装着したサーバーレス原本性保証は対象が１ページであったが、これを解消する画像処理システムを提供する。【解決手段】  紙媒体の全枚数をカウントする計数手段と、画像読取り手段にて各紙媒体の特徴量を抽出する手段と、該特徴量に識別するためのＩＤ番号を発行する手段と、登録日時を取得する手段と、該ＩＤ番号と該抽出手段により得られる特徴量とを関連付ける制御手段と、該ＩＤ番号と隣接するＩＤ番号を関連付ける制御手段と、機器固有の識別情報を取得する手段と、前述の手段から得られた情報を外部記憶媒体に送信する手段と、外部記憶媒体読取手段により、該媒体から読取った該ＩＤ及び隣接ＩＤと保証対象の紙媒体のＩＤ数の順序及び枚数、さらに紙媒体から改めて算出した特徴量とを比較する手段と、該結果により、該紙媒体が該外部記憶媒体に記憶されたものと一致することを鑑定する手段を有することを特徴とする。【選択図】        図１
2006195889.tif 000002
【特許請求の範囲】
【請求項１】
紙媒体を自動給紙手段にて給紙し、画像読取り手段にて電子データとして取り込み、該電子データを外部記憶媒体に転送する転送手段を行う画像処理システムであって、
給紙枚数を計測する計測手段と、計測数に応じた識別番号を生成する手段と、電子データの特徴量を抽出する抽出手段と、該外部記憶媒体に識別番号と特徴量を書き込む書込み手段と、
外部記憶媒体に格納された該付与情報情報を読み込む読込手段と、該読込情報が紙媒体の電子データと同一であるか検証する検証手段と、
該検証結果を通知する通知手段とを有することを特徴とする画像処理システム。
【請求項２】
画像処理装置単体で複数枚数にわたる紙媒体の原本性、改ざんの有無、枚数の欠落、紙媒体の各用紙の並び順序を検知することを特徴とする画像処理システム。
【請求項３】
該付与情報選択手段は、該電子データの登録日時、特徴量、用紙枚数、用紙毎の独自の識別番号とで構成されることを特徴とする請求項１記載の画像処理システム。
【請求項４】
検証のシステムは紙媒体に添付する外部記憶媒体により、複数枚数から成る紙媒体の原本性及び改ざんの有無を検証することを特徴とする請求項１記載の画像処理システム。
【発明の詳細な説明】
【技術分野】
【０００１】
本発明は紙媒体をスキャン、認識、プリントできる画像処理システムに関する。
【背景技術】
【０００２】
従来、原本性保証という分野では、種々の提案がなされている。
【０００３】
例えば、特許文献１では紙の原本が有する性質を電子情報に持たせ、電子情報の証明力を高めることを目的に、電子データを保存する際に、原本であることを示すファイル属性コードを付加し、少なくとも他の電子データと識別可能な状態で保存するようにしている。
【０００４】
また、特許文献２では保存された申請書類の安全性を長期に渡って確保する電子申請システムを提供することを目的として端末からネットワーク経由で電子的な書類の申請を行う電子申請システムが提供され、その電子申請システムは、書類保存装置と、端末から送信された書類を含む情報から改竄検知コードを計算する手段と、該情報を該改竄検知コートとともに書類保存装置に保存する手段とを有している。
【０００５】
他にも特許文献３では無線ＩＣチップを実装した紙媒体による予約管理システムが提供され、無線ＩＣチップの紙媒体への実装は公知の手段となっている。さらに特許文献４では無線ＩＣチップを装着済みの紙媒体の出力を実現している。
【０００６】
他にも特許文献５では文書の印刷・照合・封入・封緘処理を自動化した配達証明において、ページ番号をシステムが印刷画像（のダイジェスト情報）に付与して、改ざん検知の元情報とする原本保証が提供されている。
【特許文献１】特開２０００−２８５０２４号公報
【特許文献２】特開２００１−２０２４３６号公報
【特許文献３】特開２００２−３３４２７０号公報
【特許文献４】特開２００２−１２４８９１号公報
【特許文献５】特開２００１−２２５５５３号公報
【発明の開示】
【発明が解決しようとする課題】
【０００７】
特許文献１、特許文献２、特許文献５で示すように、電子情報の形態で管理サーバーに元のデータを保存しておく事は、大規模な電子記憶装置が必要になりその維持管理が容易ではない。また電子情報を長期に渡り外部の記憶装置に保持することにより機密保全上のリスクが増大する。
【０００８】
本発明は紙媒体の原本性を保証するにあたり紙媒体をディジタル化した電子データそのものを管理サーバーに保存することは避け、ディジタル化された情報から原本と対応づけられる特徴量を外部記録媒体例えば無線ＩＣタグに保存し、紙媒体に物理的に該無線ＩＣタグを装着することで、紙媒体の最終形である手入力の情報、例えば捺印やサインなどを含めた情報を、出力装置単体で原本として保証する方法を取る。その際に一枚のシートに対する原本性の保証は実現できるが、シートが複数の場合、その連続性、枚数の保証はサーバーレスの環境ではシート枚数、連続性を管理する媒体がないため、実現できなかった。
【０００９】
本発明は、以上の点に着目して成されたもので、複数の用紙でひとつの原本とする紙媒体に対して順序、ページ数を含めた原本性をサーバーレスで鑑定できる画像処理システムを提供することを目的とする。
【課題を解決するための手段】
【００１０】
上記課題を解決するために、本発明は、紙媒体に添付された外部記憶媒体に該紙媒体の所定の情報を保持させて、鑑定時は該情報と紙媒体とを照合し、原本性保証をサーバーレスで実施する画像処理システムであって、該紙媒体を自動給紙手段にて給紙しその全給紙枚数をカウントする計数手段と、画像読取り手段にて各紙媒体の特徴量を抽出する抽出手段と、該特徴量に識別するためのＩＤ番号を発行する発行手段と、登録日時を取得する取得手段と、該ＩＤ番号と該抽出手段により得られる特徴量とを関連付ける制御手段と、該ＩＤ番号に隣接する一方のＩＤ番号を該ＩＤ番号に関連付ける制御手段と、機器固有の識別情報を取得する手段と、前述の手段から得られた情報を外部記憶媒体に送信する送信手段と、外部記憶媒体読取手段により、該外部記憶媒体から読取った該ＩＤ及び隣接ＩＤと保証対象とする紙媒体のＩＤ数の順序及び枚数、さらに紙媒体から改めて算出した特徴量とを比較する比較手段と、該比較手段に結果により、該紙媒体が該外部記憶媒体に記憶されたものであることを通知する通知手段を有することを特徴とする。
【００１１】
本発明は上記技術手段を有することにより、各紙媒体間の並び順、枚数管理、特徴量を外部記憶媒体に登録するため、原本を登録する管理サーバーを必要としない。また、原本の鑑定手段においても、登録時と同様な手段により外部記憶媒体と、鑑定対象の紙媒体の特徴量を求めるため、鑑定のための特別な手段を必要とせず、ＭＦＰ単体で鑑定システムを構築することが可能となる。さらには、特徴量を算出するアルゴリズムは、紙媒体をディジタル化する機能複合型周辺機器（ＭＦＰ）側で行うため、紙媒体をディジタル化した情報がネットワーク上に流れない為、セキュリティ面においても強固なシステムとなりうる。
【発明の効果】
【００１２】
本発明によれば、複数の用紙でひとつの原本とする紙媒体に対して順序、ページ数を含めた原本性をサーバーレスで鑑定できる。また機器識別情報と登録日時を外部記憶媒体が保持するため、同一情報を持つ紙媒体が存在しても、鑑定対象との識別が可能となる。紙媒体の登録には紙媒体をディジタル化したものからの特徴量を登録するため、紙媒体のディジタル情報がネットワーク上に流れず、セキュリティ面において強固なシステムとる。登録作業においては、記録済みのＲＦＩＤへの登録を禁止しており、またＭＦＰ単体で登録処理を実施するため、他の介在による不正な登録を防ぐ効果を持つ。
【００１３】
さらには、原本の鑑定手段では、鑑定に比較的安価な計算コストで鑑定を実現できるため、処理時間だけでなく簡易な実装でシステムを構築できる。紙媒体の原本性は、その一意性にあるものであり、ディジタル化されたデータの原本性の保証とは一線を画す。唯一無二の紙媒体であることの保証は従来は大規模な認証システムを必須としているが、本発明ではＭＦＰ単独での簡易認証を実現し、ディジタル化に対応しない領域の原本保証のシステムをユーザに提供できる。
【発明を実施するための最良の形態】
【００１４】
以下本発明を実施するための最良の形態を、実施例により詳しく説明する。
【実施例】
【００１５】
以下、本発明のかかる一実施形態の画像処理システムを、図面を参照して詳細に説明する。
【００１６】
図１は、本実施形態の画像処理システムの構成を示すブロック図である。図１において２２０は機能複合型周辺機器（以降、ＭＦＰ）であり、画像入力デバイスであるスキャナ部２２７０、画像出力デバイスであるプリンタ部２２９５、制御ユニット（Ｃｏｎｔｒｏｌｌｅｒ  Ｕｎｉｔ）２２００、ユーザーインターフェイスである操作部２２１２、外部記憶媒体への書込み、読み込みを行うリーダライタ２２７１を有する。該装置は不図示の機器固有情報を保有する機構を持つ。外部記憶媒体とは、ここでは主に非接触識別タグＲＦＩＤ（Ｒａｄｉｏ  Ｆｒｅｑｕｅｎｃｙ  Ｉｄｅｎｔｆｉｃａｔｉｏｎ）を用いた実施形態を述べる。スキャナ部２２７０、プリンタ部２２９５、操作部２２１２はそれぞれ、制御ユニット２２００に接続され、制御ユニット２２００からの命令により制御されている。ＩＤ発行部２２７１、ＩＤ検証部２２７２はそれぞれ制御ユニット２２００に制御されている。また、制御ユニット２２００は、ローカルエリアネットワーク（ＬＡＮ）２０１１などのネットワーク伝送手段に接続されている。
【００１７】
また、ＬＡＮ２０１１には、ＭＦＰ２２０のほかに、第二のＭＦＰ２００が接続されていてもかまわない。
【００１８】
図２は、ＭＦＰ２２０のコントローラユニットの詳細な構成を示すブロック図である。図２に示すように、制御ユニット２０００は、画像入力デバイスであるスキャナ２０７０や画像出力デバイスであるプリンタ２０９５と接続し、一方ではＬＡＮや公衆回線（ＷＡＮ）と接続することにより、画像情報やデバイス情報などの入出力を行うコントローラである。
【００１９】
制御ユニット２０００において、ＣＰＵ２００１はシステム全体を制御し、内部時計２０５２制御も含まれる。ＲＡＭ２００２はＣＰＵ２００１が動作するために使用するシステムワークメモリである。尚、ＲＡＭ２００２は画像データを一時記憶するための画像メモリでもある。ＲＯＭ２００３はブートＲＯＭであり、システムのブートプログラムが格納されている。ＨＤＤ２００４はハードディスクドライブであり、システムソフトウェア、画像データ、原本登録／鑑定を行うため必要な画像処理アルゴリズムやリーダライタの制御情報などが格納されている。
【００２０】
操作部Ｉ／Ｆ２００６は、操作部（ＵＩ）２０１２とのインターフェイスを司り、操作部２０１２に表示する画像データを操作部２０１２に対して出力する。また、使用者が操作部２０１２を介して入力した情報をＣＰＵ２００１に伝える役割を果たす。
【００２１】
ネットワーク（Ｎｅｔｗｏｒｋ）インターフェイス２０１０は、ＬＡＮ２０１１との接続を司り、ＬＡＮ１００に対して情報の入出力を行う。モデム（ＭＯＤＥＭ）２０５０は、公衆回線との接続を司り、公衆回線に対して情報の入出力を行う。以上のデバイスがシステムバス２００７上に配置される。
【００２２】
イメージバスインターフェイス（Ｉｍａｇｅ  Ｂｕｓ  Ｉ／Ｆ）２００５は、システムバス２００７と画像データを高速で転送する画像バス２００８とを接続し、データ構造を変換するバスブリッジである。画像バス２００５は、ＰＣＩバス又はＩＥＥＥ１３９４で構成される。
【００２３】
画像バス２００５には次のデバイスが配置される。ラスターイメージプロセッサ（ＲＩＰ）２０６０は、ネットワークから送信されたＰＤＬコードをビットマップイメージに展開する。デバイスＩ／Ｆ部２０２０は、画像入出力デバイスであるスキャナ２０７０やプリンタ２０９５と制御ユニット２０００とを接続し、画像データの同期系／非同期系の変換を行う。
【００２４】
スキャナ画像処理部２０８０は、入力画像データに対して特徴量の算出、認識、補正、加工、編集を行う。プリンタ画像処理部２０９０は、プリント出力画像データに対してプリンタの補正、解像度変換、電子情報の付加などの加工処理を行う。画像回転部２０３０は画像データの回転を行い、画像圧縮部２０４０は、多値画像データに対してＪＰＥＧ圧縮伸張処理を、２値画像データに対してはＪＢＩＧ、ＭＭＲ、ＭＨの圧縮処理を行う。外部記録媒体に一意のＩＤを発行するＩＤ管理部２０５１は、登録時に新規ＩＤをデータに生成保管し、鑑定時に対象ＩＤを鑑定する。時計２０５２は時刻表示や、ウィークリータイマ機能の標準時刻を管理し、本発明に関わる作用として、登録時の日時、時刻情報をシステムの要求に応じて提供する。鑑定部鑑定部２０５３では２０５１や読み込んだ特徴量を紙媒体と外部記憶媒体とで、或いは紙媒体と紙媒体間で比較し、一致不一致を鑑定する。
【００２５】
図３は、本実施形態におけるＭＦＰ２２０の外観を表している。図３に示す画像入力デバイスであるスキャナ２０７０は、紙媒体上の画像をＣＣＤラインセンサ（図示せず）で走査することにより画像を光学的に読取り、ラスターイメージデータを生成して出力する。使用者が紙媒体フィーダ２０７２のトレイ２０７３にセットし、操作部１１２において読取りの起動を指示すると、コントローラＣＰＵ２００１がスキャナ２０７０は紙媒体を１枚づつフィードし、スキャナ２０７０が紙媒体上の画像の読取り動作を行う。コピー枚数のカウント値、プリント枚数のカウント値も、図５のＲＡＭ２００２に記憶される。
【００２６】
また、画像出力デバイスであるプリンタ２０９５は、ラスターイメージデータを用紙上に印刷する部分である。その方式は感光ドラムや感光体ベルトを用いた電子写真方式、微小ノズルアレイからインクを吐出して用紙上に直接画像を印字するインクジェット方式等があるが、どの方式でも構わない。尚、プリント動作は、コントローラＣＰＵ２００１からの指示２０７０によって起動される。
【００２７】
また、プリンタ２０９５は、異なる用紙サイズ又は異なる用紙向きを選択できるように複数の給紙段を持ち、それぞれに対応した用紙カセット２１０１、２１０２、２１０３がある。そして、排紙トレイ２１１１は、印字し終わった用紙を受けるものである。
【００２８】
図４は、図３に示す操作部２０１２の構成を示す図である。図４に示すように、ＬＣＤ表示部２０１３上にはＬＣＤ上にタッチパネルシート２０１９が貼られており、システムの操作画面及びソフトキーが表示されると共に、表示されたキーが押下されると、その押下された位置を示す位置情報がコントローラＣＰＵ２００１へと伝えられる。
【００２９】
図４に示すスタートキー２０１４は、紙媒体画像の読取り動作を開始する場合等に用いられる。このスタートキー２０１４の中央部には、緑と赤の２色ＬＥＤ表示部２０１８があり、その色によってスタートキー２０１４が使える状態にあるのか否かを示している。また、ストップキー２０１５は、稼動中の動作を止める働きをする。そして、ＩＤキー２０１６は使用者のユーザＩＤを入力するときに用いられ、さらに、リセットキー２０１７は操作部からの設定を初期化するときに用いられる。
【００３０】
図５は、図２に示したＭＦＰ２００の操作部の詳細な構成を示すブロック図である。上述したように、操作部２０１２は、操作部Ｉ／Ｆ２００６を介してシステムバス２００７に接続される。このシステムバス２００７には、ＣＰＵ２００１、ＲＡＭ２００２、ＲＯＭ２００３、ＨＤＤ２００４が接続されている。このＣＰＵ２００１は、ＲＯＭ２００３とＨＤＤ２００４に記憶された制御プログラム等に基づいてシステムバス２００７に接続される各種デバイスとのアクセスを総括的に制御する。また、ＣＰＵ２００１は、デバイスＩ／Ｆ２０２０を介して、スキャナ２０７０から入力情報を読み込み、デバイスＩ／Ｆ２０２０を介して、スキャナ画像処理部２０８０、もしくは、操作者の用途によっては、画像回転処理２０３０され、プリンタ２０９５に出力情報として画像信号を出力する。また、ＲＡＭ２００２は、ＣＰＵ２００１の主メモリ、ワークエリア等として機能する。
【００３１】
以上がＭＦＰ２００もしくは２２０の構成及び動作である。
【００３２】
つづいて、本実施形態で示す原本を保証するシステムの動作について説明する。本実施形態では、紙などで形成された原本を上述したＭＦＰを使って登録、鑑定するシステムを想定している。
【００３３】
図６の紙媒体６０１は、保証すべき原本構成の一例を表し、６０２は外部記憶媒体、ここではＲＦＩＤを一例として示す。添付場所は固定に非ず、用途・フォーマットに応じて任意の場所を選ぶことも可能である。
【００３４】
図１２は本実施形態におけるＲＦＩＤとＲ／Ｗの送受信処理のブロック図である。Ｒ／Ｗ２２７１はスキャナ２２７０に置かれた紙媒体に添付されたＲＦＩＤと交信可能な位置に実装される。制御部２２００から発行される登録コマンドにより送受信制御部２２８０は紙媒体に添付されたＲＦＩＤの読込を質問電波送信アンテナ２２８１を通じて発信する。ＲＦＩＤ６０２は送受信制御部６０４により受信情報の書込みを情報記憶部６０５に対して行い、発信の場合は情報記憶部６０５から情報を読み出して送受信アンテナ６０３を介して応答電波送信アンテナ２２８２に発信する。情報を受信した応答電波送信アンテナ２２８２は送受信制御部２２８０を介して制御部２２００に情報を返す。
【００３５】
図７は、原本の登録処理を示すブロック図で、図１８は、その処理を説明するフローチャートである。図７において、はじめに図３の自動給紙手段２０７０に紙媒体原本６０１をセットし、図８に示す操作部２０１２にて、“原本登録”を選択する。ここでは複数枚の登録フローを説明するために３枚から成る原本紙媒体とする。
【００３６】
自動給紙手段からセットされた全シートを給紙し、スキャナ２２７０は紙媒体をスキャンし、各紙媒体毎に外部記憶媒体が添付されているか、且つブランクであるかを判断する（Ｓ２００１）。判断の結果、外部記憶媒体が紙媒体に添付されていない用紙が存在する、もしくはブランクでない外部記憶媒体があると判断すると、登録処理を中止し、図１３（２）を通知し（Ｓ２０１２）、処理を終了する。判断の結果、外部記憶媒体が全紙媒体に添付され且つ、ブランクであることを判断すると、自動給紙装置から再び全シートを給紙し、全シート数をカウントする（Ｓ２００２）。続いてＩＤ管理部は該デバイスの既存の生成ＩＤとは重複しない新規の一意のＩＤを全シート分生成する（Ｓ２００３）。続いて紙媒体シートｎの特徴量を算出する（Ｓ２００４）。特徴量の抽出は図１１で示す方法でスキャンデータからハッシュ変換を行い、特徴量としてメッセージダイジェスト値を抽出し、ＲＡＭ２００２に一時記憶する。
【００３７】
本実施の形態では、ＭＤ５と呼ばれているハッシュ関数を用いてメッセージダイジェスト値を算出するようにしている。ＭＤ５は例えば、現在実用に用いられている暗号化プログラムの一つであるＰＧＰ（Ｐｒｅｔｔｙ    Ｇｏｏｄ    Ｐｒｉｖａｃｙ）でメッセージダイジェスト関数として用いられている。
【００３８】
以上がスキャナ画像処理２０８０で実施される。
【００３９】
上述の動作が終了すると、制御部２２００はＩＤ管理部２０５１にて生成したＩＤのｎ番目を取得する（Ｓ２００５）。続いて該ＩＤの後続のＩＤがあるかを判断する（Ｓ２００６）。これはすなわちシートｎが全シートの最終ページであるかを判断するものである。後続ＩＤがあると判断した場合は、後続ＩＤを取得する（Ｓ２００９）。
【００４０】
続いて制御部２２００は、該ＩＤ（以後メインＩＤ）と後続ＩＤ（以後サブＩＤ）、ＲＡＭ２００２に一時記憶された特徴量、登録日時、デバイス識別ＩＤを、外部記憶媒体にリーダライタ２２７１を経て送信して記録する（Ｓ２０１０）。その後フォーカスをｎ＋１に移し（Ｓ２０１１）、Ｓ２００４に戻りｎ＋１のＩＤをメインＩＤとして、処理が繰り返される。
【００４１】
Ｓ２００６で後続ＩＤが存在しないと、つまり全シートの最終ページと判断した場合、該シートカウント時に生成された新規ＩＤの先頭ＩＤを取得する（Ｓ２００７）。そしてシートｎの外部記憶媒体にシートｎの特徴量とシートｎのメインＩＤおよびサブＩＤと登録日時、デバイス識別ＩＤを記録する（Ｓ２００８）。
【００４２】
その後、登録の手続きが完了したことを制御部２２００は図１３（１）に示すとおりに通知して処理を終了する。
【００４３】
続いて、原本鑑定を行うシーケンスについて図１４とフローチャート図１９で説明する。
【００４４】
図１４は、原本の鑑定（保証）を示すブロック図で、図１９はその処理フローを表す。図１４において、スキャナ２２７０にセットされた原本６０１は、登録時と同様に図８に示す操作部２０１２にて、“原本鑑定”を選択する。
【００４５】
“原本鑑定”を選択すると、制御部２２００は、“登録”時と同じシーケンスで外部記憶媒体から情報をＲ／Ｗ２０７１を経て、外部記憶媒体が各シートに装着されているかを判断する（Ｓ２１００）。Ｓ２１００で読み込んだ情報は、制御ユニット２２００へ送信される。全シートに外部記憶装置が装着されていることが確認できなかった場合は鑑定不一致を通知し（Ｓ２１１０）、処理を終了する。Ｓ２１００で全シートに外部記憶装置が装着されていると判断した場合は、再度自動給紙装置から給紙し、給紙したシートの外部記憶装置内の当該シートのサブＩＤと、Ｓ２１００で取得したシートｎ＋１のメインＩＤが一致するかを判断する（Ｓ２１０１）。これによってシートｎとシートｎ＋１のシートｍとが原本登録時と同じ順序で給紙されたことがわかる。鑑定部２３９５により、原本登録時と同一順序と判断された場合は、後続のシートを給紙し（Ｓ２１０９）、Ｓ２１０１を繰り返す。Ｓ２１０１でＮｏと判断された場合、シートｎのサブＩＤが先頭に給紙したメインＩＤと一致するかを判断する（Ｓ２１０２）。その結果Ｎｏと判断された場合はＳ２１１０に進み、照合不一致を通知し処理を終了する。Ｓ２１０２でシートｎつまり最後に給紙した用紙のサブＩＤが最初に給紙した用紙のメインＩＤと判断された場合、一連の用紙は原本登録時の登録順序と登録枚数が一致したことを意味する。その後再度の自動給紙で各シートの特徴量を算出し（Ｓ２１０３）、各シートの外部記憶媒体の特徴量を読み出し、（Ｓ２１０４）、それぞれを照合する（Ｓ２１０５）。Ｓ２１０７で各シートの特徴量と外部記憶媒体内の特徴量が一致か不一致かの判断を実施し（例  １ページ目の特徴量と、１ページ目に装着された外部記憶装置内に保管した特徴量）（Ｓ２１０６）、不一致の場合はＳ２１１０の不一致通知を行い、処理を終了する。Ｓ２１０６で一致と判断されると、Ｓ２１０７に進んで一致通知を出して、処理を終了する。
【００４６】
図２０は図１９のフローと比較して給紙回数を抑制し、用紙の劣化や給紙ジャムの危険を回避する鑑定フローである。
【００４７】
全シートを給紙装置から給紙し、全シートの特徴量を新たに算出する（Ｓ２２０１）。同じ給紙時に全シートのＲＦＩＤ内の情報を読み込む。次に読み込んだＲＦＩＤ情報から各シートのメインＩＤとサブＩＤの整合性が保たれているかを識別する（Ｓ２２０３）。次に各サブＩＤと各機器ＩＤが整合するかを判断し（Ｓ２２０４）、次にＭａｉｎＩＤと登録日時の整合を判断し（Ｓ２２０５）、最後に各外部記憶装置内の特徴量と各用紙の特徴量と比較する。Ｓ２２０３からＳ２２０６でＮｏとなる場合はいずれもＳ２２０８で不一致通知を発行し処理を終了する。図２１で詳細に述べる。
【図面の簡単な説明】
【００４８】
【図１】実施形態における画像処理システムの全体構成を示すブロック図である。
【図２】コントローラユニットの詳細な構成を示すブロック図である。
【図３】実施形態における画像処理装置の外観を示す図である。
【図４】図３に示す操作部２０２１の外観を示す図である。
【図５】図２に示す操作部の詳細な構成を示すブロック図である。
【図６】実施形態で説明する原本の一例である。
【図７】実施形態で説明する原本の登録処理を示すブロック図である。
【図８】実施形態で説明する登録処理の設定画面の一つである。
【図９】実施形態で説明する登録処理の設定画面の一つである。
【図１０】（１）（２）（３）実施形態で説明する登録処理の設定画面の一例である。
【図１１】実施形態における特徴量抽出処理のブロック図である。
【図１２】実施形態におけるＲＦＩＤとＲ／Ｗの送受信処理のブロック図である。
【図１３】（１）（２）実施形態における登録手続きの完了を示す画面である。
【図１４】実施形態における原本の鑑定（保証）を示すブロック図である。
【図１５】実施形態で説明する鑑定処理の入力画面の一つである。
【図１６】実施形態で説明する鑑定処理の画面の一つである。
【図１７】（１）（２）（３）実施形態で説明する鑑定結果を表す画面の一例である。
【図１８】実施形態で説明する原本の登録処理のフローチャートである。
【図１９】第１実施形態における原本の鑑定（保証）処理のフローチャートである。
【図２０】第２実施形態における鑑定（保証）処理のフローチャートである。
【図２１】第２実施形態における鑑定（保証）処理の詳細を示す図である。
【符号の説明】
【００４９】
２２０  機能複合型周辺機器（ＭＦＰ）
２０１１  ＬＡＮ
２２００  Ｃｏｎｔｒｏｌｌｅｒ  Ｕｎｉｔ
２２１２  操作部
２２７０  スキャナ部
２２７１  リーダライタ（ＩＤ発行部）
２２９５  プリンタ部
【図１】
2006195889.tif 000003
【図２】
2006195889.tif 000004
【図３】
2006195889.tif 000005
【図４】
2006195889.tif 000006
【図５】
2006195889.tif 000007
【図６】
2006195889.tif 000008
【図７】
2006195889.tif 000009
【図１０】
2006195889.tif 000010
【図１１】
2006195889.tif 000011
【図１２】
2006195889.tif 000012
【図１３】
2006195889.tif 000013
【図１４】
2006195889.tif 000014
【図１５】
2006195889.tif 000015
【図１６】
2006195889.tif 000016
【図１７】
2006195889.tif 000017
【図１８】
2006195889.tif 000018
【図１９】
2006195889.tif 000019
【図２０】
2006195889.tif 000020
【図８】
2006195889.tif 000021
【図９】
2006195889.tif 000022
【図２１】
2006195889.tif 000023